(57)【要約】【課題】カラー画像をモノクロ画像で出力する場合に識別が困難になることを防止することができる画像処理装置を提供する。【解決手段】  図３（ａ）は、変更指示を行う前の表示画面４１であり、カラー画像において、領域５１の背景色は、白であり、領域５２の背景色は、水色であり、領域５３の背景色は、青色である。一方、モノクロ画像の領域５１、５２は、背景画像の濃度が低いため、文字「ａｂｃｄｅ」を判読することができるが、領域５３は、背景画像の濃度が高く、文字「ａｂｃｄｅ」を識別できない。そこで、カーソル５４を、領域５３の位置に移動する。この状態で、背景色の色を変更するように指示する。ここでは、背景色を白に変更するものとする。図３（ｂ）は、領域５３の背景色が白に変更されたモノクロ画像を示している。この変更により領域５３の文字が判読できるようになる。【選択図】図３
2008118213.tif 000002
【特許請求の範囲】
【請求項１】
表示画面と、
複数の色データにより構成されるカラー画像データを記憶するカラー画像記憶手段と、
前記カラー画像データから変換されたモノクロ画像データを記憶するモノクロ画像記憶手段と、
前記カラー画像記憶手段に記憶されたカラー画像データに基づくカラー画像と、前記モノクロ画像記憶手段に記憶されたモノクロ画像データに基づくモノクロ画像とを前記表示画面に表示する第１の画像表示手段と、
その第１の画像表示手段により前記表示画面に表示されたカラー画像またはモノクロ画像の少なくとも一部を指示する第１の画像指示手段と、
その第１の画像指示手段により指示された指示部分に対応する前記モノクロ画像における色データを変更する第１の色データ変更手段と、
その第１の色データ変更手段により変更された色データを含むモノクロ画像データを出力する第１の出力手段とを備えていることを特徴とする画像処理装置。
【請求項２】
表示画面と、
複数の色データにより構成されるカラー画像データを記憶するカラー画像記憶手段と、
前記カラー画像データから変換されたモノクロ画像データを記憶するモノクロ画像記憶手段と、
前記カラー画像記憶手段に記憶されたカラー画像データに基づくカラー画像と、前記モノクロ画像記憶手段に記憶されたモノクロ画像データに基づくモノクロ画像とを前記表示画面に表示する第１の画像表示手段と、
その第１の画像表示手段により前記表示画面に表示されたカラー画像またはモノクロ画像の少なくとも一部を指示する第１の画像指示手段と、
カラー画像またはモノクロ画像の一方における、前記第１の画像指示手段により指示された指示部分の色データを変更する第２の色データ変更手段と、
その第１の色データ変更手段による色データの変更に伴って、カラー画像またはモノクロ画像の他方における、前記指示部分に対応する部分の色データを変更する第３の色データ変更手段と、
前記第２の色データ変更手段により変更された色データを含む画像データ及び／または前記第３の色データ変更手段により変更された色データを含む画像データを出力する第２の出力手段とを備えていることを特徴とする画像処理装置。
【請求項３】
前記第１の画像表示手段は、前記表示画面を複数の領域に分割し、その分割された第１の領域にカラー画像を表示し、前記第１の領域とは異なる第２の領域にモノクロ画像を表示することを特徴とする請求項１または２記載の画像処理装置。
【請求項４】
前記第１の領域と第２の領域とは、隣接していることを特徴とする請求項３記載の画像処理装置。
【請求項５】
前記表示画面は、矩形状に形成され、
前記第１の領域は、前記矩形状の表示画面の長手方向を２等分した一方の領域であり、前記第２の領域は、前記矩形状の表示画面の長手方向を２等分した他方の領域であることを特徴とする請求項３または４記載の画像処理装置。
【請求項６】
前記第１の画像表示手段は、カラー画像とモノクロ画像とを同一のサイズで表示することを特徴とする請求項１から５のいずれかに記載の画像処理装置。
【請求項７】
表示画面と、
複数ページの、複数の色データにより構成されたカラー画像データと、各ページに対応したカラーサムネイル画像データとを記憶するカラーサムネイル画像記憶手段と、
前記カラー画像データから変換されたモノクロ画像データと、各ページに対応したモノクロサムネイル画像データとを記憶するモノクロサムネイル画像記憶手段と、
前記カラーサムネイル画像記憶手段に記憶されたカラーサムネイル画像データに基づく複数のカラーサムネイル画像と、前記モノクロサムネイル画像記憶手段に記憶されたモノクロサムネイル画像データに基づく複数のモノクロサムネイル画像とを前記表示画面に表示する第２の画像表示手段と、
その第２の画像表示手段により前記表示画面に表示された複数のカラーサムネイル画像または複数のモノクロサムネイル画像の少なくとも一部を指示する第２の画像指示手段と、
その第２の画像指示手段により指示された指示部分に対応する前記モノクロ画像における色データを変更する第４の色データ変更手段と、
前記第４の色データ変更手段により変更された色データを含むモノクロ画像データを出力する第３の出力手段とを備えていることを特徴とする画像処理装置。
【請求項８】
表示画面と、
複数ページの、複数の色データにより構成されたカラー画像データと、各ページに対応したカラーサムネイル画像データとを記憶するカラーサムネイル画像記憶手段と、
前記カラー画像データから変換されたモノクロ画像データと、各ページに対応したモノクロサムネイル画像データとを記憶するモノクロサムネイル画像記憶手段と、
前記カラーサムネイル画像記憶手段に記憶されたカラーサムネイル画像データに基づく複数のカラーサムネイル画像と、前記モノクロサムネイル画像記憶手段に記憶されたモノクロサムネイル画像データに基づく複数のモノクロサムネイル画像とを前記表示画面に表示する第２の画像表示手段と、
その第２の画像表示手段により前記表示画面に表示された複数のカラーサムネイル画像または複数のモノクロサムネイル画像の少なくとも一部を指示する第２の画像指示手段と、
カラーサムネイル画像またはモノクロサムネイル画像の一方における、前記第２の画像指示手段により指示された指示部分の色データ及びそれに対応するカラー画像データまたはモノクロ画像データの色データを変更する第５の色データ変更手段と、
その第５の色データ変更手段による色データの変更に伴って、カラーサムネイル画像またはモノクロサムネイル画像の他方における、前記指示部分に対応する部分の色データ及びそれに対応するカラー画像またはモノクロ画像の色データを変更する第６の色データ変更手段と、
前記第５の色データ変更手段及び／または前記第６の色データ変更手段により変更された色データを含むカラー画像データ及び／またはモノクロ画像データを出力する第４の出力手段とを備えていることを特徴とする画像処理装置。
【請求項９】
前記色データ変更手段は、前記画像指示手段により指定された指示部分の背景色を変更することを特徴とする請求項１から８のいずれかに記載の画像処理装置。
【発明の詳細な説明】
【技術分野】
【０００１】
本発明は、画像処理装置であって、特にカラー画像をモノクロ画像で出力する場合に、識別が困難になることを防止することができる画像処理装置に関する。
【背景技術】
【０００２】
カラー画像をファクシミリ受信し、モノクロ（monochrome）画像で印刷が行われる場合に、カラー画像では識別できる画像が、モノクロ画像では識別できなくなったり不鮮明になったりすることがある。
【０００３】
特開平１０−１５５０８５号公報（特許文献１）には、カラー画像を類似色の色領域に分割し、その色領域に対応するテクスチャに変換することにより、識別できなくなることを防止する装置が開示されている。
【０００４】
また、特開２００３−２８３８４８号公報（特許文献２）には、文字と背景とを分離し、文字と背景の輝度差が小さい場合に、文字または背景のいずれかの輝度を変更して識別できるようにする装置が開示されている。
【特許文献１】特開平１０−１５５０８５号公報
【特許文献２】特開２００３−２８３８４８号公報
【発明の開示】
【発明が解決しようとする課題】
【０００５】
しかしながら、特許文献１および特許文献２に記載された発明では、カラー画像を送信する場合に、受信側で印刷されるモノクロ画像がどのように表示されるかが不明であり、一度ファクシミリ送信を行ってみないとどの部分が不鮮明、あるいは識別できなくなるのかが分からないという問題点があった。
【０００６】
また、プリンタ装置においても、同様に、カラー画像をモノクロ画像に変換して印刷を行う場合に、元のカラー画像が、どのようにモノクロ画像で印刷されるかが不明であるという問題点もあった。
【０００７】
本発明は、上記問題点を解決するためになされたものであり、カラー画像をモノクロ画像で出力する場合に識別が困難になることを防止することができる画像処理装置を提供することを目的としている。
【課題を解決するための手段】
【０００８】
この目的を達成するために、本発明の請求項１記載の画像処理装置は、表示画面と、複数の色データにより構成されるカラー画像データを記憶するカラー画像記憶手段と、前記カラー画像データから変換されたモノクロ画像データを記憶するモノクロ画像記憶手段と、前記カラー画像記憶手段に記憶されたカラー画像データに基づくカラー画像と、前記モノクロ画像記憶手段に記憶されたモノクロ画像データに基づくモノクロ画像とを前記表示画面に表示する第１の画像表示手段と、その第１の画像表示手段により前記表示画面に表示されたカラー画像またはモノクロ画像の少なくとも一部を指示する第１の画像指示手段と、その第１の画像指示手段により指示された指示部分に対応する前記モノクロ画像における色データを変更する第１の色データ変更手段と、その第１の色データ変更手段により変更された色データを含むモノクロ画像データを出力する第１の出力手段とを備えている。
【０００９】
請求項２記載の画像処理装置は、表示画面と、複数の色データにより構成されるカラー画像データを記憶するカラー画像記憶手段と、前記カラー画像データから変換されたモノクロ画像データを記憶するモノクロ画像記憶手段と、前記カラー画像記憶手段に記憶されたカラー画像データに基づくカラー画像と、前記モノクロ画像記憶手段に記憶されたモノクロ画像データに基づくモノクロ画像とを前記表示画面に表示する第１の画像表示手段と、その第１の画像表示手段により前記表示画面に表示されたカラー画像またはモノクロ画像の少なくとも一部を指示する第１の画像指示手段と、カラー画像またはモノクロ画像の一方における、前記第１の画像指示手段により指示された指示部分の色データを変更する第２の色データ変更手段と、その第１の色データ変更手段による色データの変更に伴って、カラー画像またはモノクロ画像の他方における、前記指示部分に対応する部分の色データを変更する第３の色データ変更手段と、前記第２の色データ変更手段により変更された色データを含む画像データ及び／または前記第３の色データ変更手段により変更された色データを含む画像データを出力する第２の出力手段とを備えている。
【００１０】
請求項３記載の画像処理装置は、請求項１または２記載の画像処理装置において、前記第１の画像表示手段は、前記表示画面を複数の領域に分割し、その分割された第１の領域にカラー画像を表示し、前記第１の領域とは異なる第２の領域にモノクロ画像を表示する。
【００１１】
請求項４記載の画像処理装置は、請求項３記載の画像処理装置において、前記第１の領域と第２の領域とは、隣接している。
【００１２】
請求項５記載の画像処理装置は、請求項３または４記載の画像処理装置において、前記表示画面は、矩形状に形成され、前記第１の領域は、前記矩形状の表示画面の長手方向を２等分した一方の領域であり、前記第２の領域は、前記矩形状の表示画面の長手方向を２等分した他方の領域である。
【００１３】
請求項６記載の画像処理装置は、請求項１から５のいずれかに記載の画像処理装置において、前記第１の画像表示手段は、カラー画像とモノクロ画像とを同一のサイズで表示する。
【００１４】
請求項７記載の画像処理装置は、表示画面と、複数ページの、複数の色データにより構成されたカラー画像データと、各ページに対応したカラーサムネイル画像データとを記憶するカラーサムネイル画像記憶手段と、前記カラー画像データから変換されたモノクロ画像データと、各ページに対応したモノクロサムネイル画像データとを記憶するモノクロサムネイル画像記憶手段と、前記カラーサムネイル画像記憶手段に記憶されたカラーサムネイル画像データに基づく複数のカラーサムネイル画像と、前記モノクロサムネイル画像記憶手段に記憶されたモノクロサムネイル画像データに基づく複数のモノクロサムネイル画像とを前記表示画面に表示する第２の画像表示手段と、その第２の画像表示手段により前記表示画面に表示された複数のカラーサムネイル画像または複数のモノクロサムネイル画像の少なくとも一部を指示する第２の画像指示手段と、その第２の画像指示手段により指示された指示部分に対応する前記モノクロ画像における色データを変更する第４の色データ変更手段と、前記第４の色データ変更手段により変更された色データを含むモノクロ画像データを出力する第３の出力手段とを備えている。
【００１５】
請求項８記載の画像処理装置は、表示画面と、複数ページの、複数の色データにより構成されたカラー画像データと、各ページに対応したカラーサムネイル画像データとを記憶するカラーサムネイル画像記憶手段と、前記カラー画像データから変換されたモノクロ画像データと、各ページに対応したモノクロサムネイル画像データとを記憶するモノクロサムネイル画像記憶手段と、前記カラーサムネイル画像記憶手段に記憶されたカラーサムネイル画像データに基づく複数のカラーサムネイル画像と、前記モノクロサムネイル画像記憶手段に記憶されたモノクロサムネイル画像データに基づく複数のモノクロサムネイル画像とを前記表示画面に表示する第２の画像表示手段と、その第２の画像表示手段により前記表示画面に表示された複数のカラーサムネイル画像または複数のモノクロサムネイル画像の少なくとも一部を指示する第２の画像指示手段と、カラーサムネイル画像またはモノクロサムネイル画像の一方における、前記第２の画像指示手段により指示された指示部分の色データ及びそれに対応するカラー画像データまたはモノクロ画像データの色データを変更する第５の色データ変更手段と、その第５の色データ変更手段による色データの変更に伴って、カラーサムネイル画像またはモノクロサムネイル画像の他方における、前記指示部分に対応する部分の色データ及びそれに対応するカラー画像またはモノクロ画像の色データを変更する第６の色データ変更手段と、前記第５の色データ変更手段及び／または前記第６の色データ変更手段により変更された色データを含むカラー画像データ及び／またはモノクロ画像データを出力する第４の出力手段とを備えている。
【００１６】
請求項９記載の画像処理装置は、請求項１から８のいずれかに記載の画像処理装置において、前記色データ変更手段は、前記画像指示手段により指定された指示部分の背景色を変更する。
【発明の効果】
【００１７】
請求項１記載の画像処理装置によれば、第１の画像表示手段は、カラー画像記憶手段に記憶されたカラー画像データに基づくカラー画像と、モノクロ画像記憶手段に記憶されたモノクロ画像データに基づくモノクロ画像とを表示画面に表示し、第１の画像指示手段は、第１の画像表示手段により表示されたカラー画像またはモノクロ画像の少なくとも一部を指示すると、第１の色データ変更手段は、第１の画像指示手段により指示された指示部分に対応するモノクロ画像における色データを変更し、第１の出力手段は、第１の色データ変更手段により変更された色データを含むモノクロ画像データを出力する。
【００１８】
よって、使用者は、カラー画像に基づくモノクロ画像が出力される前に、表示画面に表示されるカラー画像と、モノクロ画像とを対比して視認し、カラー画像では、識別できるが、モノクロ画像では識別が困難、または識別できない部分を容易に見つけることができる。そして、その識別が困難、または識別できない部分を指示することにより、その部分の色データが変更され、識別できるようにすることができる。従って、受信するファクシミリ装置がモノクロ画像データを受信してモノクロ画像で印刷する場合や、印刷装置において、カラー画像をモノクロ画像に変換して印刷を行う場合に、カラー画像では、識別できるが、モノクロ画像では識別が困難になることを防止することができるという効果がある。
【００１９】
請求項２記載の画像処理装置によれば、第１の画像表示手段は、カラー画像記憶手段に記憶されたカラー画像データに基づくカラー画像と、モノクロ画像記憶手段に記憶されたモノクロ画像データに基づくモノクロ画像とを表示画面に表示し、第１の画像指示手段は、第１の画像表示手段により表示されたカラー画像またはモノクロ画像の少なくとも一部を指示すると、第２の色データ変更手段は、カラー画像またはモノクロ画像の一方における、前記第１の画像指示手段により指示された指示部分の色データを変更し、第３の色データ変更手段は、第１の色データ変更手段による色データの変更に伴って、カラー画像またはモノクロ画像の他方における、指示部分に対応する部分の色データを変更し、第２の出力手段は、第２の色データ変更手段により変更された色データを含む画像データ及び／または前記第３の色データ変更手段により変更された色データを含む画像データを出力する。
【００２０】
よって、使用者は、カラー画像またはモノクロ画像が出力される前に、表示画面に表示されるカラー画像と、モノクロ画像とを対比して視認し、カラー画像では、識別できるが、モノクロ画像では識別が困難、または識別できない部分を容易に見つけることができる。そして、その識別が困難、または識別できない部分を指示することにより、その部分の色データが変更され、識別できるようにすることができる。従って、受信するファクシミリ装置が、カラー画像データを受信してモノクロ画像で印刷する場合、またはモノクロ画像データを受信してモノクロ画像で印刷する場合に、カラー画像では、識別できるが、モノクロ画像では識別が困難になることを防止することができるという効果がある。
【００２１】
請求項３記載の画像処理装置によれば、請求項１または２記載の画像処理装置の奏する効果に加え、第１の画像表示手段は、表示画面を複数の領域に分割し、その分割された第１の領域にカラー画像を表示し、第１の領域とは異なる第２の領域にモノクロ画像を表示するので、使用者は、表示画面に表示されたカラー画像とモノクロ画像とを容易に対比して視認することができ、カラー画像では、識別できるがモノクロ画像では識別が困難、あるいは識別できない部分を容易に見つけることができるという効果がある。また、その部分を指示場合にも、カラー画像とモノクロ画像とを対比して指示することができるので、操作が容易であるという効果もある。
【００２２】
請求項４記載の画像処理装置によれば、請求項３記載の画像処理装置の奏する効果に加え、第１の領域と第２の領域とは、隣接しているので、使用者は、表示画面に隣接して表示されたカラー画像とモノクロ画像とをより容易に対比して視認することができ、より容易に識別が困難である部分を指示する操作がより容易であるという効果がある。
【００２３】
請求項５記載の画像処理装置によれば、請求項３または４記載の画像処理装置の奏する効果に加え、表示画面は、矩形状に形成され、第１の領域は、矩形状の表示画面の長手方向を２等分した一方の領域であり、第２の領域は、矩形状の表示画面の長手方向を２等分した他方の領域であるので、使用者は、表示画面を等分に分割してそれぞれの領域に表示されたカラー画像とモノクロ画像とをより容易に対比して視認することができるという効果がある。
【００２４】
請求項６記載の画像処理装置によれば、請求項１から５のいずれかに記載の画像処理装置の奏する効果に加え、第１の画像表示手段は、カラー画像とモノクロ画像とを同一のサイズで表示するので、使用者は、表示画面を同一のサイズで表示されたカラー画像とモノクロ画像とをより容易に対比して視認することができ、さらにカラー画像、またはモノクロ画像上で、識別するのが困難な部分を指示する操作も、より容易であるという効果がある。
【００２５】
請求項７記載の画像処理装置によれば、第２の画像表示手段は、表示画面に、複数ページの、複数の色データにより構成された複数のカラーサムネイル画像と、それぞれのカラーサムネイル画像に対応するモノクロサムネイル画像とを表示し、第２の画像指示手段は、表示画面に表示された複数のカラーサムネイル画像または複数のモノクロサムネイル画像の少なくとも一部を指示し、第４の色データ変更手段は、第２の画像指示手段により指示された指示部分に対応するモノクロ画像における色データを変更し、第３の出力手段は、第４の色データ変更手段により変更された色データを含むモノクロ画像データを出力する。
【００２６】
よって、使用者は、カラー画像データに基づくモノクロ画像データが出力される前に、表示画面に表示される複数のサムネイルカラー画像と、サムネイルモノクロ画像とを一度に対比して視認し、カラー画像では、識別できるが、モノクロ画像では識別が困難、または識別できない部分を容易に見つけることができる。そして、その識別が困難、または識別できない部分を指示することにより、その部分の色データが変更され、識別できるようにすることができる。従って、受信するファクシミリ装置がモノクロ画像データを受信してモノクロ画像で印刷する場合や、印刷装置において、カラー画像をモノクロ画像に変換して印刷を行う場合に、カラー画像では、識別できるが、モノクロ画像では識別が困難になることを防止することができるという効果がある。
【００２７】
請求項８記載の画像処理装置によれば、第２の画像表示手段は、表示画面に、複数ページの、複数の色データにより構成された複数のカラーサムネイル画像と、それぞれのカラーサムネイル画像に対応するモノクロサムネイル画像とを表示し、第２の画像指示手段は、表示画面に表示された複数のカラーサムネイル画像または複数のモノクロサムネイル画像の少なくとも一部を指示し、第５の色データ変更手段は、カラーサムネイル画像またはモノクロサムネイル画像の一方における、第２の画像指示手段により指示された指示部分の色データ及びそれに対応するカラー画像データまたはモノクロ画像データの色データを変更し、第６の色データ変更手段は、第５の色データ変更手段による色データの変更に伴って、カラーサムネイル画像またはモノクロサムネイル画像の他方における、指示部分に対応する部分の色データ及びそれに対応するカラー画像またはモノクロ画像の色データを変更し、第４の出力手段は、第５の色データ変更手段及び／または第６の色データ変更手段により変更された色データを含むカラー画像データ及び／またはモノクロ画像データを出力する。
【００２８】
よって、使用者は、カラー画像またはモノクロ画像が出力される前に、表示画面に表示される複数のサムネイルカラー画像と、サムネイルモノクロ画像とを対比して視認し、カラー画像では、識別できるが、モノクロ画像では識別が困難、または識別できない部分を容易に見つけることができる。そして、その識別が困難、または識別できない部分を指示することにより、その部分の色データが変更され、識別できるようにすることができる。従って、受信するファクシミリ装置が、カラー画像データを受信してモノクロ画像で印刷する場合、またはモノクロ画像データを受信してモノクロ画像で印刷する場合に、カラー画像では、識別できるが、モノクロ画像では識別が困難になることを防止することができるという効果がある。
【００２９】
請求項９記載の画像処理装置によれば、請求項１から８のいずれかに記載の画像処理装置の奏する効果に加え、色データ変更手段は、画像指示手段により指定された指示部分の背景色を変更するので、モノクロ画像において、背景中に描かれている画像の識別が困難な場合に、背景中に描かれている画像の識別を容易にすることができるという効果がある。特に、背景中に文字や記号が記載されている場合に、その文字や記号などを判読できるようにすることができる。
【発明を実施するための最良の形態】
【００３０】
以下、本発明の好ましい実施形態について、添付図面を参照して説明する。図１は、本発明の実施形態における多機能周辺装置（以下、「ＭＦＰ（Multi  Function  Peripheral）もしくは（Multi  Function  Printer）」と略す）１の外観構成を示す斜視図である。図１に示すように、本ＭＦＰ１は、下部に設けられたプリンタ部２と、上部に設けられたスキャナ部３と、スキャナ部３の正面側に設けられた操作パネル４とを一体的に備え、プリンタ機能、スキャナ機能、コピー機能及びファクシミリ機能を有する。
【００３１】
ＭＦＰ１は、不図示のコンピュータと接続されて、そのコンピュータから送信された画像データや文書データに基づいて、記録用紙（被記録媒体）に画像や文書を記録したり、デジタルカメラ等の外部機器と接続されてデジタルカメラから出力される画像データを記録用紙に記録したり、メモリカード等の各種記憶媒体を装填して、その記憶媒体に記憶された画像データ等を記録用紙に記録することが可能である。なお、言うまでもないが、本ＭＦＰ１は、記録用紙だけに限らず、ＯＨＰ用の透明フィルムシートや布など（いずれも被記録媒体の一例）にも画像を記録することが可能である。
【００３２】
スキャナ部３は、ＦＢＳ（Flatbed  Scanner）として機能する原稿読取台６に対して、自動原稿搬送機構（ＡＤＦ：Auto  Document  Feeder、以下「ＡＤＦ」という。）７を備えた原稿カバー８が、背面側の蝶番を支点として開閉自在に取り付けられている。
【００３３】
原稿読取台６の上面は大きく開口されており、その開口部にプラテンガラスが嵌め込まれ、原稿読取台６の内部には、上記画像読取ユニットの移動スペースや、画像読取ユニット或いはそれを支持する部材および駆動させる機構などを配設するスペースが確保されている。
【００３４】
ＡＤＦ７は、原稿トレイ９から原稿排出トレイ１０へ原稿搬送路を通じて原稿を搬送するものである。プリンタ部２は、スキャナ部３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ部２は、上述したように、スキャナ部３の下方に配設されている。
【００３５】
ＭＦＰ１の正面側、換言すれば、プリンタ部２の正面側には開口５が形成されている。この開口５内に給紙トレイ１４及び排紙トレイ１５が完全に内包されるように設けられている。給紙トレイ１４と排紙トレイ１５は上下二段となるように配設されており、上段に排紙トレイ１５が設けられ、その下方に給紙トレイ１４が設けられている。
【００３６】
ＭＦＰ１の正面側には、図１に示すように横長形状の操作パネル４が設けられている。操作パネル４は、その縦幅が、スキャナ部３の縦幅からプリンタ部２の縦幅を減じた長さ(空きスペースの縦幅)に収まる寸法に形成されている。操作パネル４は、プリンタ部２やスキャナ部３を操作するためのものであり、各種操作キー４０と液晶表示部（ＬＣＤ：Liquid  Crystal  Display）４１(以下、表示画面と称す)とを具備する。この表示画面４１は、縦横比が３：４の画面を横に２個並べ、縦横比が３：８のものである。
【００３７】
使用者は、操作パネル４を用いて、所望の指令を入力することができる。ＭＦＰ１に所定の指令が入力されると、その入力された情報に基づいて該ＭＦＰ１の動作が制御部２０によって制御される。操作パネル４に備えられる操作キー４０には、四方に配置された、左矢印キー、右矢印キー、上矢印キー、下矢印キーから成り、いずれかを指定することができる十字キー４０ａと、主として十字キー４０ａの機能を切り替える機能切替キー４０ｂと、主として処理の確定を指示する確定キー４０ｃと、印刷の開始、またはファクシミリの送信の開始を指示する出力指示キー４０ｄと、表示画面４１の左側に０から９の数字を入力するテンキー４０ｅなどが備えられている。
【００３８】
なお、ＭＦＰ１は、操作パネル４から入力された指令のほか、コンピュータに接続されて該コンピュータからプリンタドライバやスキャナドライバ等を介して送信される指令に基づいて動作するようにシステム構成されている。
【００３９】
プリンタ部２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本ＭＦＰ１とを通信可能に接続するコネクタ端子である。また、接続パネル７０の右端側にはスロット部７２が配設されている。スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によって表示画面４１に表示される。或いは、選択された任意の画像がプリンタ部２において記録用紙に記録される。
【００４０】
次に、図２を参照してＭＦＰ１の電気的構成の概略について説明する。図２は、ＭＦＰ１の電気的構成を示すブロック図である。制御部２０は、プリンタ部２、スキャナ部３及び操作パネル４を含むＭＦＰ１の動作を統括的に制御するものである。制御部２０は、図２に示すように、ＣＰＵ（Central  Processing  Unit）２１、ＲＯＭ（Read  Only  Memory）２２、ＲＡＭ（Random  Access  Memory）２３、フラッシュメモリ２４を主とするマイクロコンピュータとして構成されており、バス２５を介してＡＳＩＣ（Application  Specific  Integrated  Circuit）２６に接続されている。
【００４１】
ＲＯＭ２２には、ＦＡＸ機能、コピー機能、スキャナ機能、トリミング機能などをそれぞれ制御する各種制御プログラムや制御プログラムで用いられる定数やテーブルなどが記憶されている。
【００４２】
ＲＡＭ２３は、ランダムにアクセス可能なメモリであり、ＣＰＵ２１が各種機能を実行する際に、一次的に変数やパラメータを記憶するものである。このＲＡＭ２３には、ファクシミリ送信を行う場合や、コピー印刷を行う場合に、スキャナ部３により読み取られたカラー画像データを記憶する画像メモリ２３ａが備えられている。
【００４３】
この画像メモリ２３ａに記憶されるカラー画像データが、表示画面４１に表示される場合には、カラー画像とともに、モノクロ画像に変換した画像が表示される。使用者が、モノクロ画像を視認し、識別が困難であると判断した場合は、複数の色データにより構成されるカラー画像のなかで、識別が困難である色データを指定する。ＭＦＰ１は、指定されたカラー画像を他の色データに変更し、その変更された色データに従ってモノクロ画像を変更表示する。いずれの色データをいずれの色データに変更するかが決定された場合は、その変更パラメータがＲＡＭ２３に記憶される。
【００４４】
ＲＯＭ２２に記憶される画像処理プログラムは、使用者の操作キー４０の操作に応じて、画像メモリ２３ａに記憶されたカラー画像データに基づいて、表示画面４１にカラー画像とモノクロ画像とを表示し、さらに、使用者の操作キー４０の操作に応じて、カラー画像のいずれかの色データの変更が指示された場合は、その指示に従って色データを変更し、その変更した色データに基づいてモノクロ画像の表示を変更する等の処理を行うようにプログラムされている。
【００４５】
ＡＳＩＣ２６は、ＣＰＵ２１からの指令に従い、プリンタ部２、スキャナ部３、操作パネル４、及びスロット部７２の動作制御を行う。プリンタ部２、スキャナ部３及びスロット部７２は、詳細な説明は省略するが、制御部２０により、プリンタ部２を駆動するモータやインクジェット記録ヘッド、スキャナ部３を駆動するモータや画像読取ユニット等の動作が制御される。
【００４６】
ＡＳＩＣ２６には、ＭＦＰ１に所望の指令を入力する操作キー４０を制御するパネルゲートアレイ２７が接続されている。パネルゲートアレイ２７は、操作キー４０の押下を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００４７】
ＡＳＩＣ２６には、表示画面４１の画面表示を制御するＬＣＤコントローラ２８が接続されている。ＬＣＤコントローラ２８は、ＣＰＵ２１の指令に基づいて、表示画面４１にプリンタ部２又はスキャナ部３の動作に関する情報や、読取画像或いは入力画像を画面に表示させる。
【００４８】
表示画面４１は、ＲＧＢ３原色それぞれに対応した、図示しないマトリクススイッチを備えている。このマトリクススイッチに電荷が加えられることによりマトリクススイッチの直下の液晶分子が光を透過する方向に揃うため、ＲＧＢのいずれかの色が液晶表示部４１に表示されることとなる。このマトリクススイッチ一つ一つが、ＲＧＢそれぞれの１ドットに対応する。
【００４９】
ＬＣＤコントローラ２８は、図示しない表示メモリに記憶されたＲＧＢの値を一定周期で走査し、値が「１」であるビットに対応するマトリクススイッチに電圧を印加している。  ＡＳＩＣ２６には、コンピュータとパラレルケーブル又はＵＳＢケーブルを介してデータの送受信を行うためのパラレルインタフェース２９及びＵＳＢ端子７１が接続されている。さらに、ＡＳＩＣ２６には、ファクシミリ機能を実現するためのＮＣＵ（Network  Control  Unit）３１やモデム３２が接続されている。
【００５０】
スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によって表示画面４１に表示される。或いは、選択された任意の画像がプリンタ部２において記録用紙に記録される。
【００５１】
次に、図３を参照して、表示画面４１に表示される画像について説明する。図３は、読み込まれた画像が１ページである場合に、表示画面４１に表示される普通表示モードを示すものである。
【００５２】
処理される画像が複数ページにより構成される場合には、表示画面４１に複数のページを同時に表示するサムネイル表示モードにより表示することができる。サムネイル表示モードについては、図４を参照して後述する。
【００５３】
ＭＦＰ１において、ファクシミリ送信を行う場合や、コピー印刷を行う場合に、スキャナ部３により読み込まれたカラー画像は、表示画面４１にカラー画像（図面左側）と、そのカラー画像をモノクロ画像に変換したモノクロ画像（図面右側）とが表示される。モノクロ画像は、元のカラー画像と対比して表示され、モノクロ画像で印刷された場合に、識別が困難な部分が存在するか否かを視認することができる。
【００５４】
識別が困難な部分が存在する場合には、使用者は、その部分の色を変更するように指示する操作を行う。
【００５５】
普通表示モードでは、矩形状の表示画面４１の長辺を２等分する位置で、２つの等しい大きさの領域に分割され、一方の領域（図３では、左側）に、カラー画像が表示され、他方の領域（同、右側）に、カラー画像をモノクロ画像に変換した画像が表示される。
【００５６】
図３に示す画像の例は、１頁に、領域５１、領域５２、領域５３の３つの異なる背景色の領域それぞれに、黒色で文字「ａｂｃｄｅ」が描かれている画像である。カラー画像では、背景色の濃度が高い場合でも文字を識別することが可能であるが、そのカラー画像をモノクロ画像で表示した場合は、文字を識別することは、困難になる。
【００５７】
使用者は、カラー画像に表示されるカーソル５４を識別することが困難である色の領域に移動し、背景色の変更を指示する。カーソル５４の移動の指示は、操作パネル４に備えられる十字キー４０ａにより行われ、背景色の変更指示は、決定キー４０ｃにより行われる。
【００５８】
図３（ａ）は、変更指示を行う前の表示画面４１であり、カラー画像において、領域５１の背景色は、白であり、領域５２の背景色は、水色であり、領域５３の背景色は、青色である。ただし、同図では、色が表示されないので、網目などの図柄を用いて、色が異なることを表現している。
【００５９】
一方、モノクロ画像の領域５１、５２に対応する領域は、背景画像の濃度が低いため、文字「ａｂｃｄｅ」を判読することができるが、領域５３は、背景画像の濃度が高く、文字「ａｂｃｄｅ」を識別できない。そこで、カーソル５４を、領域５３の位置に移動する。
【００６０】
この状態で、背景色の色を変更するように指示する。ここでは、背景色を白に変更するものとする。図３（ｂ）は、領域５３の背景色が白に変更されたモノクロ画像を示している。この変更により領域５３の文字が判読できるようになる。よって、変更されたカラー画像データをファクシミリ送信し、受信側においてモノクロ画像を印刷する場合でも、文字を識別することができると推測できる。
【００６１】
次に、図４を参照して、サムネイル表示モードについて説明する。普通表示モードとサムネイル表示モードとの切り替えは、十字キー４０ａの周囲４つのキーのうち、上矢印キー、または下矢印キーの操作により行われる。すなわち、表示画面４１が普通表示モードである場合に、十字キー４０ａの上矢印キー、または下矢印キーのいずれかが押下されるとサムネイル表示モードに切り替えられ、表示画面４１がサムネイル表示モードである場合に、十字キー４０ａの上矢印キー、または下矢印キーのいずれかが押下されると普通表示モードに切り替えられる。
【００６２】
図４では、３ページの画像が読み込まれた場合を示し、図４（ａ）は、３ページそれぞれを示している。１ページ目は、図３において説明したように、３つの領域５１、５２、５３それぞれに文字「ａｂｃｄｅ」が描かれ、２ページ目には、３つの領域５１、５２、５３それぞれに文字「ｆｇｈｉｊ」が描かれ、３ページ目には、３つの領域５１、５２、５３それぞれに文字「ｋｌｍｎｏ」が描かれている。これらのそれぞれの領域の背景色は、異なる色であり、図４（ａ）では、背景の図柄を変えることにより、色が異なることを示している。
【００６３】
図４（ｂ）は、２ページ目が選択されて、普通表示モードで表示されている状態を示し、図３と同様に、表示画面４１を分割した左側に、カラー画像が表示され、右側に、カラー画像をモノクロ画像に変換した画像が表示される。この２ページ目では、領域５１、領域５２、領域５３の３つの異なる背景色の領域それぞれに、黒色で文字「ｆｇｈｉｊ」が描かれ、カーソル４５は、領域５３に配置されている。
【００６４】
左側のカラー画像の下部に、表示されているページを示すタブが表示される。図４（ｂ）では、３つページそれぞれに対応する３つのタブが表示され、「２」と表示された２番目のタブが、やや濃い背景で表示さ、現在表示画面４１に表示されているページが２ページ目であることを示している。十字キー４０ａの左矢印キーが押下された場合は、選択されているページが１づつ減少され、十字キー４０ａの右矢印キーが押下された場合は、選択されているページが１づつ増加される。
【００６５】
機能切替キー４０ｂが押下された場合は、四方のキーの操作によりカーソル５４が上下左右に移動され、再度機能切替キー４０ｂが押下されると、左右矢印キーにより、タブの指定が行われ、上下矢印キーにより普通表示モードとサムネイル表示モードとの表示モードの切り替えが行われる。
【００６６】
図４（ｃ）は、サムネイル表示モードで表示されている状態を示し、表示画面４１の左半分には、３ページそれぞれのカラー画像が縮小して表示され、各ページの画像の下にタブが表示される。同様に、表示画面４１の右半分には、各ページのモノクロ画像が縮小して表示され、各ページの画像の下にタブが表示される。
【００６７】
図４（ｃ）に示すように、２ページ目のタブが、カラー画像、モノクロ画像とも、濃い背景で表示され、選択されていることが示されている。この状態で、サムネイル表示モードから普通表示モードに切替えられた場合は、選択されている２ページ目が、普通表示モードで表示される。
【００６８】
サムネイル表示モードで複数ページの画像を表示することにより、モノクロ画像で表示された場合に、識別が困難になると予想される部分を、各ページと比較しながら視認することができる。
【００６９】
なお、サムネイル表示モードにおいても、カーソル５４を移動することにより、識別が困難な領域を指定することができ、変更の指示があった場合は、背景色を白色に変更し、モノクロ画像が変更表示される。
【００７０】
次に、図５に示すフローチャートを参照して、ＣＰＵ２１により実行される画像処理について説明する。ここでの画像処理は、カラー画像をファクシミリ送信するように使用者により指示され、受信側のファクシミリ装置が、モノクロ画像データのみ受信可能である場合の処理である。まず、カラー画像を読み込み、そのカラー画像データをＲＡＭに記憶する。そのＲＡＭに記憶したカラー画像を表示画面４１の左半分に表示するとともに、モノクロ画像に変換して、そのモノクロ画像を表示画面４１の右半分に表示する。
【００７１】
使用者は、表示されたモノクロ画像で識別が困難である部分があるかを確認し、識別が困難である部分がある場合には、その部分の色を変更するように指示し、ＣＰＵ２１は、変更の指示を入力した場合は、その部分の色を変更するという処理を行うものである。
【００７２】
まず、カラー原稿をスキャンし（Ｓ１）、原稿の画像データをカラー画像メモリ２３ａに格納する（Ｓ２）。原稿が複数ページからなる場合は、複数ページの各ページをスキャンし、ページ毎にカラー画像メモリ２３ａに格納する。次に、格納されたカラー画像をモノクロ画像に変換し、モノクロ画像メモリ２３ｂに格納する（Ｓ３）。原稿が複数ページからなる場合は、各ページをモノクロ画像に変換し、ページ毎にモノクロ画像メモリ２３ｂに格納する。
【００７３】
次に、読み込んだ原稿が複数ページからなるか否かを判断し（Ｓ４）、複数ページからなる場合は（Ｓ４：Ｙｅｓ）、複数ページの各ページ毎にカラー画像メモリ２３ａに格納されたカラー画像データを縮小してサムネイル画像を形成してカラーサムネイル画像メモリ２３ｃに格納する（Ｓ５）。次にカラーサムネイル画像メモリ２３ｃに格納されたたカラーサムネイル画像データをモノクロ画像データに変換し、そのモノクロサムネイル画像データを各ページ毎にモノクロサムネイル画像メモリ２３ｄに格納する（Ｓ６）。縮小する方法としては、平均画素法や、バイリニア法や、最近傍法が用いられる。
【００７４】
次に、カラー画像メモリ２３ａに格納されたカラー画像を表示画面４１の左半分に、モノクロ委画像メモリ２３ｂに格納されたモノクロ画像を表示画面４１の右半分に表示する（Ｓ７）。原稿が複数ページからなる場合は、１ページ目のカラー画像とモノクロ画像とを表示する。この表示モードは、上述の普通表示モードである。
【００７５】
次に、使用者により、カーソル５４が移動設定されて、背景色の変更を指示する確定キー４０ｃが操作されたか否かを判断する（Ｓ８）。なお、図示は、省略するが、カーソルにより表示されている画像の領域を指定する機能が設定されている場合、ＣＰＵ２１は、十字キー４０ａが操作されると、その操作に応じてカーソルの位置を変更する。
【００７６】
確定キー４０ｃが操作された場合は（Ｓ８：Ｙｅｓ）、カーソルにより指定されている位置の背景色を白色に変更し（Ｓ９）、変更された画像データに基づいて、モノクロ画像データを変更するとともに、表示画面４１に表示されたモノクロ画像も変更する（Ｓ１０）。このとき、カラー画像メモリ２３ａに格納されたカラー画像データは、変更せずに、モノクロ画像メモリ２３ｂに格納されたモノクロ画像データのみを変更する。
【００７７】
なお、サムネイル表示モードにより表示されている場合も、サムネイル画像上で、カーソルを移動し、背景色を変更する領域を指示することができる。そして、変更する領域が指定された場合には、背景色を白色に変更し、変更された画像データに基づいて、モノクロ画像メモリ２３ｂに格納されたモノクロ画像データを変更するとともに、表示画面４１に表示されたモノクロサムネイル画像も変更する。
【００７８】
Ｓ１０の処理を終了した場合、またはＳ８の判断処理で、確定キー４０ｃが操作されない場合は（Ｓ８：Ｎｏ）、普通表示モードとサムネイル表示モードとの切り替えを指示する操作が行われたか否かを判断する（Ｓ１１）。上述の通り、この操作は、機能切替キー４０ｂの操作により普通表示モードとサムネイル表示モードとの表示モードの切り替えが行われように設定され、十字キー４０ａの上矢印キー、または下矢印キーが押下されることにより行われる。
【００７９】
表示切り替えの操作が行われた場合は（Ｓ１１：Ｙｅｓ）、現在の表示モードが、普通表示モードであれば、サムネイル表示モードに切替わり、現在の表示モードが、サムネイル表示モードであれば、普通表示モードに切替わる（Ｓ１２）。
【００８０】
Ｓ１２の処理を終了した場合、またはＳ１１の判断処理で、表示切り替えの操作が行われない場合は（Ｓ１１：Ｎｏ）、つぎに、ページを変更指定する操作が行われたか否かを判断する（Ｓ１３）。この操作は、機能切替キー４０ｂの操作によりページの変更が行われように設定され、十字キー４０ａの左矢印キー、または右矢印キーが押下されることにより行われる。
【００８１】
ページを変更する操作が行われた場合は（Ｓ１３：Ｙｅｓ）、現在の表示モードが、普通表示モードか否かを判断し（Ｓ１４）、現在の表示モードが、普通表示モードであれば（Ｓ１４：Ｙｅｓ）、表示されているカラー画像とモノクロ画像を、ページ指定されたページのカラー画像とモノクロ画像とに変更する（Ｓ１５）。一方、現在の表示モードが、普通表示モードでなくサムネイル表示モードであれば（Ｓ１４：Ｎｏ）、現在選択されているページを示すタブの表示を変更する（Ｓ１６）。
【００８２】
Ｓ１５、またはＳ１６の処理を終了した場合、またはＳ１３の判断処理で、ページを変更指定する操作が行われなかった場合は（Ｓ１３：Ｎｏ）、ファクシミリの送信出力を行うよう操作が行われたか否かを判断し（Ｓ１７）、出力を指示する操作が行われない場合は（Ｓ１７：Ｎｏ）、Ｓ８の処理に戻り、出力を指示する操作が行われた場合は（Ｓ１７：Ｙｅｓ）、モノクロ画像メモリ２３ｂに記憶されているモノクロ画像データをファクシミリ送信し（Ｓ１８）、画像処理を終了する。なお、出力を指示する操作は、出力指示キー４０ｄにより行われる。
【００８３】
以上、実施形態に基づいて説明したように、読み込まれた原稿のカラー画像と、そのカラー画像を変換したモノクロ画像とが、表示画面を分割して表示されるので、モノクロ画像では、識別が困難である部分、あるいは識別できない部分を容易に発見することができる。そして、使用者がその識別が困難である部分、あるいは識別できない部分を指示し、その部分の色が変更される。使用者は、再度、変更された画像を確認し、識別が困難である部分、あるいは識別できない部分を無くしてから送信することができる。従って、モノクロ画像で受信して印刷を行うファクシミリ装置に、送信する場合に、カラー画像では識別できるが、受信したモノクロ画像では識別が困難、あるいは識別できない部分がないようにして送信することができる。
【００８４】
なお、上記実施形態は、受信するファクシミリ装置は、モノクロ画像データのみを受信する装置であったが、受信するファクシミリ装置が、カラー画像データを受信することが可能であり、そのカラー画像データに基づいてモノクロ画像を印刷することができる場合には、背景色の変更を指示する確定キー４０ｃが操作された場合は（Ｓ８：Ｙｅｓ）、カーソルにより指定されている位置の背景色を白色に変更し（Ｓ９）、変更された画像データに基づいて、カラー画像メモリ２３ａに格納されたカラー画像データと、モノクロ画像メモリ２３ｂに格納されたモノクロ画像データとを変更し、出力を指示する操作が行われた場合は（Ｓ１７：Ｙｅｓ）、カラー画像メモリ２３ａに記憶されたカラー画像データ、またはモノクロ画像メモリ２３ｂに記憶されているモノクロ画像データをファクシミリ送信する（Ｓ１８）ようにしてもよい。
【００８５】
なお、請求項に記載の第１の画像表示手段は、図５に記載のフローチャートのＳ７の処理が該当し、第１〜第６の色データ変更手段は、図５に記載のフローチャートのＳ９の処理および上記変形例が該当し、第２の画像表示手段は、図５に記載のフローチャートのＳ１２の処理が該当し、第１の画像指示手段および第２の画像指示手段は、図５に記載のフローチャートのＳ８の処理が該当する。
【００８６】
以上実施形態に基づき本発明を説明したが、本発明は上記実施形態に何ら限定されるものでなく、本発明の趣旨を逸脱しない範囲内で種々の改良変形が可能であることは容易に推察できるものである。
【００８７】
例えば、上記実施形態では、多機能周辺装置における処理について説明したが、プリンタや、ファクシミリ装置などの単機能の装置における処理としたり、パーソナルコンピュータにおける処理としてもよい。
【００８８】
また、上記実施形態では、ファクシミリ送信するカラー画像たデータについて処理を行うものとしたが、カラー画像をモノクロ画像に変換して印刷を行う場合に適用してもよい。
【００８９】
また、上記実施形態では、背景色が同一の領域中に文字が描かれていて、その文字を識別することができるように、背景色を変更するものとしたが、単に色が異なる領域が隣り合い、モノクロで表示した場合に、ほぼ同じ輝度となって識別が困難になる場合においても、本発明を適用してもよい。
【００９０】
また、上記実施形態では、指定された領域の背景色を変更するように指示があった場合に、背景色を白色に変更するものとしたが、他の色に変更するようにしてもよい。例えば、文字の輝度を検出し、その輝度とは異なる輝度の色に変更するようにしてもよい。
【００９１】
また、変更する色を、使用者が任意に指定する指定手段を備え、その指定手段により指定された色に変更するようにしてもよい。
【００９２】
また、上記実施形態では、原稿が３ページからなる場合について説明したが、より多くのページからなる場合は、複数のページに分けて表示するようにしてもよい。例えば、表示画面４１には、４ページの原稿のカラー画像とモノクロ画像とを表示するものとし、サムネイル表示のページを選択する選択手段を設けて、選択されたサムネイル画像を表示するようにしてもよい。
【図面の簡単な説明】
【００９３】
【図１】本発明の実施形態における画像処理装置を有する多機能周辺装置の外観を示す斜視図である。
【図２】多機能周辺装置の電気的構成を示すブロック図である
【図３】カラー画像とモノクロ画像とが表示された表示画面を示す画面図である。
【図４】（ａ）は、複数ページの原稿を示し、（ｂ）は、普通表示モードにより表示され画面図であり、（ｃ）は、表示サムネイル表示モードにより表示された画面図である。
【図５】画像処理を示すフローチャートである。
【符号の説明】
【００９４】
１              多機能周辺装置（ＭＦＰ）
２              プリンタ部（第１〜第４の出力手段の一つ）
２１            ＣＰＵ
２２            ＲＯＭ
２３            ＲＡＭ
２３ａ          カラー画像メモリ（カラー画像記憶手段）
２３ｂ          モノクロ画像メモリ（モノクロ画像記憶手段）
２３ｃ          カラーサムネイル画像メモリ（カラーサムネイル画像記憶手段）
２３ｄ          モノクロサムネイル画像メモリ（モノクロサムネイル画像記憶手段）
３１            ＮＣＵ（第１〜第４の出力手段の一つ）
４０            操作キー（キー操作部）
４０ａ          十字キー（画像指示手段）
４１            ＬＣＤ（表示画面）
【図１】
2008118213.tif 000003
【図２】
2008118213.tif 000004
【図３】
2008118213.tif 000005
【図４】
2008118213.tif 000006
【図５】
2008118213.tif 000007